(57)【要約】【課題】  キャップ部材の着脱の容易化を図る。【解決手段】  光学機器付属品装着時に、撮像装置との間にアダプタ−装置を適用した着脱機構を有する撮像装置のマウントを覆うキャップ部材において、光軸方向被写体側前部から後部に向け順次小径となる緩テ−パ−状に形成する。【選択図】  図２
2005062604.tif 000002
【特許請求の範囲】
【請求項１】
光学機器付属品装着時に、撮像装置との間にアダプタ−装置を適用した着脱機構を有する撮像装置のマウントを覆うキャップ部材において、光軸方向被写体側前部から後部に向け順次小径となるテ−パ−状に形成したことを特徴とするキャップ部材。
【請求項２】
上記撮像装置において、前記キャップ部材は、被写体側主外観部は金属部材、撮像装置マウント側着脱部は樹脂部材で形成したことを特徴とする請求項１に記載のキャップ部材。
【請求項３】
上記撮像装置において、前記キャップ部材は、バヨネット結合による着脱機構を適用し、前記樹脂部材で形成されたマウント側着脱部のバヨネット爪の光軸方向両側部にアンダ−カットとなる形状がないことを特徴とする請求項１または２に記載のキャップ部材。
【請求項４】
請求項１から３のいずれかに記載のキャップ部材を有し、前記キャップ部材をマウントに装着可能な撮像装置。
【請求項５】
光学機器付属品装着時に、撮像装置との間にアダプタ−装置を適用した着脱機構を有する撮像装置において、マウントを覆うキャップ部材との係合部が、光軸方向被写体側前部から後部に向け順次小径となるテ−パ−状に形成したことを特徴とする撮像装置。
【発明の詳細な説明】
【技術分野】
【０００１】
本発明は、光学機器付属品、例えば交換レンズ等を着脱可能なマウント部を有する撮像装置本体に装着されるキャップ部材およびこれを有する撮像装置に関するものである。
【背景技術】
【０００２】
従来から、撮像装置に用いられている交換レンズと撮像装置本体との間に装着するアダプター装置には様々なタイプが知られているが、特に交換レンズの焦点距離等を変換したり、異なるフランジバック、マウント嵌合径等を有する撮像装置本体に交換レンズを装着するために広く利用されている。
【０００３】
現在では交換レンズと撮像装置本体との間に装着するマウント部は、スクリューマウント係合からワンタッチ装着可能なバヨネット係合が一般的になりつつある。
【０００４】
上記撮像装置は、アダプター装置を撮像装置側マウントに取り付けた際、所定角度回転させて、レンズ取付け正位置にて前記ロック爪がアダプター装置と嵌合して固定される。
【０００５】
撮像装置本体のマウントに設置されたロック解除ボタンの操作により撮像装置本体マウント面から前記ロック爪を退避させてアダプター装置を脱方向に回転して外す仕様となっている。
【０００６】
アダプター装置が装着されていない際は、バヨネット着脱機構を保護し、外観に露呈しない様に、キャップ部材を装着し、前記キャップ部材も前記アダプタ−装置同様の着脱方式となっている。前記キャップ部材の形状は、光軸方向被写体側前部に向け順次小径に形成されているものが多い。
【特許文献１】特開平５−３４１３５２号公報
【発明の開示】
【発明が解決しようとする課題】
【０００７】
しかしながら、前記キャップ部材の形状が、光軸方向被写体側前部に向け順次小径に形成されると、前記キャップ部材を撮像装置マウント面から退避させる際、手（指）の腹部に引掛かりとなるものがない為、滑り易く容易な着脱はできない。
【０００８】
また、樹脂部材で形成される撮像装置マウント側着脱部が外観に露呈し、高級感を損ねやすい。更にバヨネット爪光軸方向前部が、先細りの為、開口が得難く射出成形用金型製作上、前記バヨネット爪のアンダ−カットを形成する為のスライドコアによる割り型を採用する必要があり、金型費のコストおよび成形時間の増大に繋がると考えられる。
【０００９】
以上の事実に鑑み、本発明は、上述の不具合を解決するためになされたものであり、簡単な構成で撮像装置からの着脱を容易とし、高級感を得られ、かつ金型費のコスト削減および成形時間の短縮を図った安価なキャップ部材を提供するものである。
【課題を解決するための手段】
【００１０】
本発明は、光学機器付属品装着時に、撮像装置との間にアダプター装置を適用した着脱機構を有する撮像装置のマウントを覆うキャップ部材において、光軸方向被写体側前部から後部に向け順次小径となるテ−パ−状に形成したことを特徴としている。
【００１１】
また、このキャップ部材は、被写体側主外観部は金属部材、撮像装置マウント側着脱部は樹脂部材で形成することが好ましい。
【００１２】
また、このキャップ部材は、バヨネット結合による着脱機構を適用し、樹脂部材で形成されたマウント側着脱部のバヨネット爪の光軸方向両側部にアンダ−カットとなる形状がないことが好ましい。
【００１３】
また、本発明は、光学機器付属品装着時に、撮像装置との間にアダプター装置を適用した着脱機構を有する撮像装置において、マウントを覆うキャップ部材との係合部が、光軸方向被写体側前部から後部に向け順次小径となるテ−パ−状に形成したことを特徴としている。
【００１４】
この様に、本発明は、簡単な構成でキャップ部材の着脱を容易とし、高級感を得られ、かつ金型費のコスト削減および成形時間の短縮を図った安価な撮像装置を提供するのである。
【発明の効果】
【００１５】
本発明によれば、光学機器付属品装着時に、撮像装置との間にアダプタ−装置を適用した着脱機構を有する撮像装置のマウントを覆うキャップ部材において、光軸方向被写体側前部から後部に向け順次小径となる緩テ−パ−状に形成したことを特徴とし、簡単な構成でキャップ部材着脱の容易化を図ることができる。
【００１６】
また、キャップ部材の被写体側主外観部を金属部材、撮像装置マウント側着脱部を樹脂部材で形成することで、表面処理を施した金属部材を外観側に大きく配置し、また後部樹脂部材を順次小径とすることで樹脂部材の外観露呈を極力避けることが可能となり、外観の向上、高級感を得ることができる。
【００１７】
さらに、キャップ部材にバヨネット結合による着脱機構を適用し、樹脂部材で形成されたマウント側着脱部のバヨネット爪の光軸方向両側部にアンダ−カットとなる形状をなくすことで、金型費のコスト削減および生産効率向上を図り、安価なキャップ部材を提供ことができる。
【００１８】
また、本発明によれば、光学機器付属品装着時に、撮像装置との間にアダプタ−装置を適用した着脱機構を有する撮像装置において、マウントを覆うキャップ部材との係合部が、光軸方向被写体側前部から後部に向け順次小径となるテ−パ−状に形成したことを特徴とし、簡単な構成でキャップ部材着脱の容易化を図ることができる。
【発明を実施するための最良の形態】
【００１９】
以下に、本発明による撮像装置の実施例を図面に従い説明する。
【００２０】
図１から図４に、本発明の撮像装置の図を示す。
【００２１】
図１は、本発明のバヨネット係合による光学機器の着脱機構を内臓した撮像装置の斜視図、図２は、本発明のバヨネット係合による光学機器の着脱機構を内臓した撮像装置の側面図、図３は、本発明の撮像装置マウント部を覆うキャップ部材の断面図示した図、図４は、本発明のバヨネット係合による光学機器の着脱機構の断面図、を示している。
【００２２】
図１、図２、図３において、１は、撮像装置本体で、２は、バヨネット係合による光学機器の着脱機構のキャップ部材であり、光軸方向被写体側前部から後部に向け順次小径となっている。キャップ部材２は、金属部材で形成される被写体側主外観部２ａおよび樹脂部材で形成される撮像装置マウント着脱部２ｂで一体的に形成され、撮像装置マウントに嵌合する複数のバヨネット爪部２ｂｂを有している。
【００２３】
前記複数のバヨネット爪部２ｂｂ光軸方向両側部には、アンダ−カットとなる形状がなく、従来バヨネット爪部のアンダ−カットをスライドコアによる割り型で形成していた部分を可動・固定型の二面型構造での製作が可能となる。主外観部金属部材２ａでマウント着脱部２ｂの開口を塞ぎゴミ等の侵入の問題はない。
【００２４】
外観形状は、ほぼ偏平な外形形状にグリップ部を有しており、前面カバー３と背面カバー４からなる。
【００２５】
前面部には撮影光学系レンズ鏡筒の撮影レンズ用開口部５が配置され、その上方にファインダー窓６、また、右上に閃光発光装置の光学部材であるフレネルレンズ７およびその真下に赤目緩和用のプリ照明光源窓８が設けられている。
【００２６】
後面部には、液晶表示装置（図示しない）があり、撮像する被写体像の確認や、撮像された画像の再生表示に用いられる。９は、電源ボタンであり、１０は、モード設定ダイヤルで回動自在とされており、特定の位置で回動を停止することで様々な撮影モード等に切り換えることができる。
【００２７】
１１は、シャッターボタンであり、このボタンの操作により、被写体が撮像され記録媒体に記録される。その周辺を取り囲む様に位置するのがズーム切り換えレバー１２である。１３、１４は、グリップ部材で、撮像装置本体の把持部である。
【００２８】
１５は、記録媒体の蓋部材であり、この部材を開状態にすることによって、記録媒体の挿抜が可能になる。１６は、電池収納室の蓋部材であり、この部材を開状態にすることによって、電池の挿抜が可能になる。
【００２９】
１７は、バヨネット係合による光学機器の着脱機構のロック解除ボタンである。
【００３０】
図４において、３は、前面カバー３であり、撮影光学系レンズ鏡筒周辺は、バヨネット係合による光学機器の着脱機構からなるマウント部を有している。１７は、バヨネット係合による光学機器の着脱機構のロック解除ボタン、１８は、バヨネットロック爪であり、軸部材１９と一体結合している。２０は、ロック爪を光学機器付属品装着位置に付勢する弾性部材であり、２２は、ロック爪軸部材１９と摺動嵌合する撮像装置内構成樹脂部材である。この樹脂部材２２と摺動嵌合することにより、ロック爪の位置精度が向上し、かつ良好に摺動することが可能となる。
【００３１】
上記撮像装置は、キャップ部材２を撮像装置側マウントに取り付けた際、所定角度回転させて、レンズ取付け正位置にて前記ロック爪１８がキャップ部材２と嵌合する。前記ロック爪１８は、撮像装置本体のマウントに設置されたロック解除ボタン１７の操作により撮像装置本体マウント面より退避させてキャップ部材２を脱方向に回転させて外す仕様となっている。２１は、ロック爪軸部材を光軸方向に位置決めする固定止輪である。
【図面の簡単な説明】
【００３２】
【図１】本発明の撮像装置の外観斜視図。
【図２】本発明の撮像装置の外観側面図。
【図３】本発明のキャップ部材の断面図。
【図４】本発明のバヨネット係合による光学機器の着脱機構の断面図。
【符号の説明】
【００３３】
１  撮像装置本体
２  キャップ部材
２ａ  主外観金属部材
２ｂ  マウント着脱部樹脂部材
２ｂｂ  バヨネット爪部
３  前面カバー
４  背面カバー
５  撮影レンズ用開口部
６  ファインダ窓
７  閃光発光装置のフレネルレンズ
８  赤目緩和用のプリ照明光源レンズ
９  電源ボタン
１０  モード設定ダイヤル
１１  シャッターボタン
１２  ズーム切換レバー
１３，１４  グリップ部材
１５  記録媒体の蓋部材
１６  電池収納室の蓋部材
１７  ロック解除ボタン
１８  ロック爪
１９  ロック爪軸部材
２０  弾性部材
２１  固定止輪
２２  内部構成樹脂部材
【図１】
2005062604.tif 000003
【図２】
2005062604.tif 000004
【図３】
2005062604.tif 000005
【図４】
2005062604.tif 000006